(57)【要約】【課題】マルチキャリア通信システムにおける非対称の動作モード。【解決手段】データをアクセスネットワークからアクセス端末に送信するための複数の順方向リンクキャリアに関連付けられた情報チャネルに、長符号マスク（ＬＣＭ）を割り当て、その情報チャネルを逆方向リンクキャリア上で多重化する。情報チャネルは、データソースチャネル（ＤＳＣ）情報、データ転送速度制御（ＤＲＣ）情報、および肯定応答（ＡＣＫ）情報のうちの１つを含み、多重化は、符号分割多重（ＣＤＭ）とする。Ａは、ＡＴからのフィードバックに基づいて、ＡＴに、ＤＳＣ情報を多重化するかどうか指図する。この方法は、逆方向リンクのピーク対平均を低減するために、逆方向リンク上でＡＣＫ情報をさらにオフセットし、Ｉ分岐およびＱ分岐上で情報チャネルをＣＤＭし、符号分割多重化された情報チャネルを、逆方向リンクキャリア上で送信する。【選択図】      図５
2009508368.tif 000002
【特許請求の範囲】
【請求項１】
データを基地局またはアクセスネットワークからアクセス端末に送信するための複数の順方向リンクキャリアに関連付けられた情報チャネルに、長符号マスク（ＬＣＭ）を割り当てること、および
前記情報チャネルを逆方向リンクキャリア上で多重化すること
を含む方法。
【請求項２】
前記情報チャネルが、データソースチャネル（ＤＳＣ）情報、データ転送速度制御（ＤＲＣ）情報、および肯定応答（ＡＣＫ）情報のうちの少なくとも１つを含む、請求項１に記載の方法。
【請求項３】
前記逆方向リンクのピーク対平均を低減するために、前記逆方向リンク上で前記ＡＣＫ情報をオフセットすることをさらに含む、請求項２に記載の方法。
【請求項４】
前記アクセス端末からのフィードバックに基づいて、前記アクセス端末に、前記ＤＳＣ情報を多重化するかどうか指図することをさらに含む、請求項２に記載の方法。
【請求項５】
前記多重化することが符号分割多重（ＣＤＭ）である、請求項１に記載の方法。
【請求項６】
Ｉ分岐およびＱ分岐上で前記情報チャネルを符号分割多重化することをさらに含む、請求項５に記載の方法。
【請求項７】
前記情報チャネルが、前記Ｉ分岐および前記Ｑ分岐上で共に、データ転送速度制御（ＤＲＣ）情報を含む、請求項５に記載の方法。
【請求項８】
前記情報チャネルが、前記Ｉ分岐および前記Ｑ分岐上で共に、肯定応答（ＡＣＫ）情報を含む、請求項５に記載の方法。
【請求項９】
前記符号分割多重化された情報チャネルを前記逆方向リンクキャリア上で送信することをさらに含む、請求項５に記載の方法。
【請求項１０】
前記データ転送速度制御（ＤＲＣ）情報をウォルッシュ符号語でカバーすることをさらに含む、請求項７に記載の方法。
【請求項１１】
前記肯定応答（ＡＣＫ）情報をウォルッシュ符号語でカバーすることをさらに含む、請求項８に記載の方法。
【請求項１２】
前記データ転送速度制御（ＤＲＣ）情報を、前記Ｉ分岐および前記Ｑ分岐上で共に、データ転送速度制御（ＤＲＣ）カバーシンボルと組み合わせることをさらに含む、請求項７に記載の方法。
【請求項１３】
前記データ転送速度制御（ＤＲＣ）カバーシンボルが、オフセットされたウォルッシュ符号によってチャネル化される、請求項１２に記載の方法。
【請求項１４】
データを基地局またはアクセスネットワークからアクセス端末に送信するための複数の順方向リンクキャリアに関連付けられた情報チャネルに、長符号マスク（ＬＣＭ）を割り当てるように適合されたコントローラと、
前記情報チャネルを逆方向リンクキャリア上で多重化するように適合された前記アクセス端末と、
を備えるシステム。
【請求項１５】
前記コントローラが前記基地局内にある、請求項１４に記載のシステム。
【請求項１６】
前記コントローラが、基地局コントローラまたは前記アクセスネットワーク内にある、請求項１４に記載のシステム。
【請求項１７】
前記情報チャネルが、データソースチャネル（ＤＳＣ）情報、データ転送速度制御（ＤＲＣ）情報、および肯定応答（ＡＣＫ）情報のうちの少なくとも１つを含む、請求項１４に記載のシステム。
【請求項１８】
前記アクセス端末が、前記逆方向リンクのピーク対平均を低減するために、前記逆方向リンク上で前記ＡＣＫ情報をオフセットするように適合される、請求項１７に記載のシステム。
【請求項１９】
前記多重化が符号分割多重（ＣＤＭ）である、請求項１４に記載のシステム。
【請求項２０】
前記アクセス端末が、前記符号分割多重化された情報チャネルを前記逆方向リンクキャリア上で送信するように適合される、請求項１９に記載のシステム。
【請求項２１】
前記アクセスネットワークが、前記アクセス端末からのフィードバックに基づいて、前記アクセス端末に、前記ＤＳＣ情報を多重化するかどうか指図するように適合される、請求項１７に記載のシステム。
【請求項２２】
複数の順方向リンクキャリアに関連付けられた情報チャネルの長符号マスク（ＬＣＭ）上で、基地局からのデータを受信するための受信器と、
逆方向リンクキャリア上で前記基地局にデータを送信する送信器と、
前記逆方向リンクキャリア上で前記情報チャネルを多重化するための手段と
を備えるアクセス端末。
【請求項２３】
前記多重化する手段が、符号分割多重化（ＣＤＭ）するための手段を含む、請求項２２に記載のアクセス端末。
【請求項２４】
Ｉ分岐およびＱ分岐上で前記情報チャネルを符号分割多重化するための手段をさらに備える、請求項２２に記載のアクセス端末。
【請求項２５】
前記情報チャネルが、前記Ｉ分岐および前記Ｑ分岐上で共に、データ転送速度制御（ＤＲＣ）情報を含む、請求項２４に記載のアクセス端末。
【請求項２６】
前記情報チャネルが、前記Ｉ分岐および前記Ｑ分岐上で共に、肯定応答（ＡＣＫ）情報を含む、請求項２４に記載のアクセス端末。
【請求項２７】
前記符号分割多重化された情報チャネルを前記逆方向リンクキャリア上で送信するための手段をさらに備える、請求項２２に記載のアクセス端末。
【請求項２８】
前記データ転送速度制御（ＤＲＣ）情報をウォルッシュ符号語でカバーするための手段をさらに備える、請求項２５に記載のアクセス端末。
【請求項２９】
前記肯定応答（ＡＣＫ）情報をウォルッシュ符号語でカバーするための手段をさらに備える、請求項２６に記載のアクセス端末。
【請求項３０】
前記データ転送速度制御（ＤＲＣ）情報を、前記Ｉ分岐および前記Ｑ分岐上で共に、データ転送速度制御（ＤＲＣ）カバーシンボルと組み合わせるための手段をさらに備える、請求項２５に記載のアクセス端末。
【請求項３１】
前記データ転送速度制御（ＤＲＣ）カバーシンボルが、オフセットされたウォルッシュ符号によってチャネル化される、請求項３１に記載のアクセス端末。
【発明の詳細な説明】
【技術分野】
【０００１】
［米国特許法１１９条に基づく優先権の主張］
本願は、２００５年７月２０日に出願された「Ａｓｙｍｅｔｒｉｃ  Ｍｏｄｅ  ｏｆ  Ｏｐｅｒａｔｉｏｎ  ｉｎ  Ｍｕｌｔｉ−Ｃａｒｒｉｅｒ  Ｃｏｍｍｕｎｉｃａｔｉｏｎ  Ｓｙｓｔｅｍｓ」という名称の、本願の譲受人に譲渡された米国仮特許出願第６０／７０１，２０６号に対する、また、２００５年８月１８日に出願された「Ａｓｙｍｅｔｒｉｃ  Ｍｏｄｅ  ｏｆ  Ｏｐｅｒａｔｉｏｎ  ｉｎ  Ｍｕｌｔｉ−Ｃａｒｒｉｅｒ  Ｃｏｍｍｕｎｉｃａｔｉｏｎ  Ｓｙｓｔｅｍｓ」という名称の、本願の譲受人に譲渡された米国仮特許出願第６０／７０９，９４４号に対する優先権を主張し、それらの両出願を参照により本明細書に組み込む。
【０００２】
本発明は、一般に無線通信システムに関し、詳細には、非対称の動作モードを実現するマルチキャリア通信システムに関する。
【背景技術】
【０００３】
通信システムは、いくつかの基地局とアクセス端末の間で通信を実現することができる。順方向リンクまたはダウンリンクは、基地局からアクセス端末への送信を指す。逆方向リンクまたはアップリンクは、アクセス端末から基地局への送信を指す。各アクセス端末は、アクセス端末が活動状態にあるかどうか、またアクセス端末がソフトハンドオーバ中であるかどうかに応じて、所与の瞬間に順方向リンクおよび逆方向リンク上で１つまたは複数の基地局と通信することができる。
【０００４】
無線通信システムは、様々なタイプの通信（たとえば、音声、データなど）を複数のユーザに提供するように、広く展開される。そのようなシステムは、符号分割多元接続（ＣＤＭＡ）、時分割多元接続（ＴＤＭＡ）、周波数分割多元接続（ＦＤＭＡ）、または他の多元接続技法に基づくことができる。ＣＤＭＡシステムは、増大されたシステム容量を含めて、いくつかの望ましい特徴を提供する。ＣＤＭＡシステムは、ＩＳ−９５、ｃｄｍａ２０００、ＩＳ−８５６、Ｗ−ＣＤＭＡ、ＴＤ−ＳＣＤＭＡ、および他の標準など、１つまたは複数の標準を実装するように設計される可能性がある。
【０００５】
マルチメディアサービスや高速データに対する、増大する需要に応えて、無線通信システムにおいて、マルチキャリア変調が提案されている。たとえば、効率的かつ頑強なマルチキャリア通信システムを提供しようという挑戦課題が残っている。
【発明の開示】
【０００６】
［概要］
マルチキャリア無線通信システムにおいて非対称の動作モードを提供するための方法およびシステム。１つのモードでは、一方法は、データを基地局またはアクセスネットワークからアクセス端末に送信するための複数の順方向リンクキャリアに関連付けられた情報チャネルに、長符号マスク（ＬＣＭ；long code mask）を割り当て、その情報チャネルを逆方向リンクキャリア上で多重化することができる。情報チャネルは、データソースチャネル（ＤＳＣ；data source channel）情報、データ転送速度制御（ＤＲＣ；data rate control）情報、および肯定応答（ＡＣＫ；acknowledgment）情報のうちの少なくとも１つを含むことができ、多重化は、符号分割多重（ＣＤＭ）とすることができる。アクセスネットワークは、アクセス端末に、ＤＳＣ情報を多重化するか否か指図することができる。アクセス端末からのフィードバックが同じチャネルカードに進み、サービス中のセクタが、複数の順方向リンクキャリアにわたって同じである場合、アクセスネットワークは、アクセス端末に、ＤＳＣ情報を多重化しないように指図することができる。さらにこの方法は、逆方向リンクのピーク対平均（peak to average）を低減するために、逆方向リンク上でＡＣＫ情報をオフセットすることができる。別のモードでは、一方法は、Ｉ分岐およびＱ分岐上で情報チャネルを符号分割多重化し、符号分割多重化された情報チャネルを、逆方向リンクキャリア上で送信することができる。ＤＲＣおよびＡＣＫ情報は、ウォルッシュ符号語でカバーされてもよく、ＤＲＣ情報はさらに、Ｉ分岐およびＱ分岐上で共に、ウォルッシュ符号によってオフセットされるＤＲＣカバーシンボル(cover symbol)と組み合わされてもよい。
【０００７】
ハードウェアに応じて、モードの任意の組合せがサポートされ得る。第１のモードは、１５個の順方向リンクキャリアと、１５個の一意の長符号マスクがアクセス端末に割り当てられた１つの逆方向リンクキャリアとを達成することができる。また、第１および第２のモードは、１５個の順方向リンクキャリアと、４つの一意の長符号マスクがアクセス端末に割り当てられた１つの逆方向リンクキャリアとを達成するように組み合わされてもよい。
【０００８】
本発明の特徴、性質、および利点は、図面と共に、以下で述べられている詳細な説明から、より明らかとなる可能性がある。同様の参照番号および参照文字は、同じまたは同様の物体を識別することができる。
【０００９】
［詳細な記載］
本明細書で述べられているどの実施形態も、他の実施形態より必ずしも好ましい、または有利であるとは限らない。本開示の様々な態様が図面で提示されているが、図面は、必ずしも原寸に比例して示されておらず、すべてを包含するように示されているものでもない。
【００１０】
図１は、システムコントローラ１０２と、基地局（ＢＳ）１０４ａ〜１０４ｂと、複数のアクセス端末（ＡＴ）１０６ａ〜１０６ｈとを含む無線通信システム１００を示す。システム１００は、任意の数のコントローラ１０２と、基地局１０４と、アクセス端末１０６とを有することができる。下記で述べられている本発明の様々な態様および実施形態は、システム１００内で実施することができる。
【００１１】
アクセス端末１０６は、移動性のものでも、静止しているものでもよく、図１の通信システム１００全体にわたって分散される可能性がある。アクセス端末１０６は、ラップトップパーソナルコンピュータなどコンピューティングデバイスに接続されても、その中で実装されてもよい。別法として、アクセス端末は、携帯情報端末（ＰＤＡ）など、自己充足的なデータデバイスとすることができる。アクセス端末１０６は、有線電話、無線電話、移動通信電話（cellular phone）、ラップトップコンピュータ、無線通信パーソナルコンピュータ（ＰＣ）カード、ＰＤＡ、外部または内部モデムなど、様々なタイプのデバイスを指す可能性がある。アクセス端末は、無線チャネルを介して、または、たとえば光ファイバもしくは同軸ケーブルを使用して有線チャネルを介して通信することにより、ユーザにデータコネクティビティを提供する任意のデバイスとすることができる。アクセス端末は、移動局（ＭＳ）、アクセスユニット、加入者ユニット、移動デバイス、移動端末、移動ユニット、移動電話、モバイル（mobile）、遠隔局、遠隔端末、遠隔ユニット、ユーザデバイス、ユーザ機器、ハンドヘルドデバイスなど、様々な名前を有する可能性がある。
【００１２】
システム１００は、いくつかのセルについて通信を実現し、各セルは、１つまたは複数の基地局１０４によってサービスを提供される。基地局１０４はまた、基地局トランシーバシステム（ＢＴＳ）、アクセスポイント、アクセスネットワーク（ＡＮ）の一部、モデムプールトランシーバ（ＭＰＴ）、またはノードＢと称される可能性がある。アクセスネットワークは、パケット交換データ網（たとえば、インターネット）とアクセス端末１０６の間のデータコネクティビティを提供するネットワーク機器を指す。
【００１３】
順方向リンク（ＦＬ）またはダウンリンクは、基地局１０４からアクセス端末１０６への送信を指す。逆方向リンク（ＲＬ）またはアップリンクは、アクセス端末１０６から基地局１０４への通信を指す。
【００１４】
基地局１０４は、１組の異なるデータ転送速度から選択されたデータ転送速度を使用してアクセス端末１０６にデータを送信することができる。アクセス端末１０６は、基地局１０４によって送られるパイロット信号の信号対干渉雑音比（ＳＩＮＲ；signal-to-noise-and interference ratio）を測定し、基地局１０４がアクセス端末１０６にデータを送信するために、望ましいデータ転送速度を決定することができる。アクセス端末１０６は、基地局１０４に所望のデータ転送速度を通知するために、データ要求チャネルまたはデータ転送速度制御（ＤＲＣ）メッセージを基地局１０４に送ることができる。
【００１５】
システムコントローラ１０２（基地局コントローラ（ＢＳＣ）とも称される）は、基地局１０４に対して調整および制御することができ、さらに、基地局１０４を介してアクセス端末１０６へのセルのルーティングを制御することができる。さらに、システムコントローラ１０２は、移動交換センタ（ＭＳＣ）を介して公衆交換電話網（ＰＳＴＮ）に、また、パケットデータサービングノード（ＰＤＳＮ；packet data serving node）を介してパケットデータ網に結合されてもよい。
【００１６】
通信システム１００は、符号分割多元接続（ＣＤＭＡ）、ＩＳ−９５、「ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ」で指定される、高速データ転送速度（ＨＤＲ）とも称される高速パケットデータ（ＨＲＰＤ）、ＴＩＡ／ＥＩＡ／ＩＳ−８５６、ＣＤＭＡ  １ｘＥＶ−ＤＯ（ｅｖｏｌｕｔｉｏｎ  ｄａｔａ  ｏｐｔｉｍｉｚｅｄ）、１ｘＥＶ−ＤＶ、広帯域ＣＤＭＡ（Ｗ−ＣＤＭＡ）、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）、時分割同期ＣＤＭＡ（ＴＤ−ＳＣＤＭＡ）、直交周波数分割多重（ＯＦＤＭ）など、１つまたは複数の通信技法を使用することができる。下記で述べられている諸例は、理解を明瞭にするために、詳細を提供する。本明細書で提示されている着想は、他のシステムにも適用可能であり、本例は、本願を限定しないものとする。
【００１７】
（マルチキャリアシステム）
本明細書で述べられている「マルチキャリア」システムは、周波数分割多重を使用することができ、各「キャリア」は、無線周波数範囲に対応する。たとえば、キャリアは、１．２５メガヘルツ幅とすることができるが、他のキャリアサイズを使用することができる。また、キャリアは、ＣＤＭＡキャリア、リンク、またはＣＤＭＡチャネルと呼ばれる可能性もある。
【００１８】
データフロー要件は、順方向リンクまたは逆方向リンクのより大量の使用に向けて偏らせることができる。下記の説明は、マルチキャリア無線通信システム内での順方向リンクと逆方向リンクとの割当てを分離することに関する。システム１００は、Ｍ個の順方向リンク（またはキャリア）、およびＮ個の逆方向リンク（またはキャリア）をアクセス端末１０６に割り当てることができ、式中、ＭおよびＮは、等しくなくてもよい。下記の説明は、逆方向リンクオーバーヘッドを低減するためのオーバーヘッドチャネル送信のための機構について述べる。
【００１９】
基地局、ＢＳＣ、またはＭＳＣは、アクセス端末に割り当てられるいくつかのＦＬキャリアを決定することができる。また、基地局、ＢＳＣ、またはＭＳＣは、チャネル条件、その端末用に使用可能なデータ、端末電力増幅器のヘッドルーム、およびアプリケーションフローなど諸条件に応じて、アクセス端末に割り当てられるＦＬキャリアの数を変更することができる。
【００２０】
アクセス端末１０６は、基地局１０４から送信される音声、画像ファイル、ビデオクリップ、データファイルなどを使用することができる、インターネットアプリケーション、ビデオ会議、動画、ゲームなど、アプリケーションを実行することができる。アプリケーションは、２つのタイプ、すなわち、
１．遅延に耐える、高い順方向リンクスループット、低い逆方向リンクスループットのもの、および
２．遅延に敏感な、低い順方向リンクスループット、低い逆方向リンクスループットのもの
を含むことができる。他のタイプのアプリケーションも存在する可能性がある。
【００２１】
システム１００が、高スループットを達成するために、またはスペクトル効率を最大化するために、順方向リンク上で複数のキャリアを使用する場合、アクセス端末１０６は、逆方向リンクの効率を改善するために、逆方向リンク上ですべての関連キャリア上の送信を回避することができる。
【００２２】
より低速のＤＣＲ更新が許容可能であるタイプ１のアプリケーションについては、アクセス端末１０６は、
ａ）主逆方向リンクキャリア上で連続パイロット信号を送信することができ、
ｂ）主逆方向リンクキャリア上だけでデータを送信することができ、
ｃ）主逆方向リンクキャリア上で時分割多重された、各ＦＬキャリアごとのＤＲＣを送信することができ、これは、より低速のＤＣＲチャネル更新が許容可能であると仮定しており、
ｄ）必要に応じて、各ＦＬキャリアについて肯定応答（ＡＣＫ）または否定応答（ＮＡＫ）メッセージを送信することができる。アクセス端末１０６は、ＡＣＫチャネルを送信するとき、２次キャリア上で（主ＲＬキャリア上のパイロットと同じ電力レベルにある）ゲーテッドパイロット（gated pilot）、たとえば、パイロットフィルタのウォームアップ用のＡＣＫ送信周りの１／２スロットスカートを送信することができる。
【００２３】
より低速のＤＣＲ更新が許容可能でない可能性があるタイプ１のアプリケーションについては、アクセス端末１０６は、
ａ）使用可能な順方向リンクキャリアに関連するすべての逆方向リンクキャリア上で連続パイロット信号を送信することができ、
ｂ）主逆方向リンクキャリア上だけでデータを送信することができ、
ｃ）必要に応じて、各ＦＬキャリアについてＡＣＫを送信することができる。
【００２４】
タイプ２のアプリケーションについては、アクセス端末１０６は、
ａ）主逆方向リンクキャリア上で連続パイロットを送信することができ、
ｂ）主逆方向リンクキャリア上だけでデータを送信することができ、
ｃ）主逆方向リンクキャリア上で時分割多重された、各ＦＬキャリアごとのＤＲＣを送信することができ、これは、より低速のＤＣＲチャネル更新が許容可能であると仮定しており、
ｄ）主逆方向リンクキャリア上だけでＡＣＫを送信することができる。基地局１０４は、順方向リンクキャリアすべてにわたって移動中（in flight）であるパケットが確実に１つ以下となるように制約を受ける可能性がある。基地局１０４は、送信されたＦＬパケットのタイミングに基づいて、ＡＣＫ関連付け（association）を決定することができる。
【００２５】
別法として、アクセス端末１０６は、代替形態のＡＣＫチャネル送信を実施することができる。すなわち、
ａ）望むなら、たとえばシステム１００が追加のＦＬキャリアをサポートする場合、ＡＣＫチャネル送信時間間隔を短縮する（ＥＶ−ＤＯシステムでは、ＡＣＫは、１／２スロットで送信することができる）、
ｂ）単一の１／２スロット内でのＮ個の順方向リンクキャリアに対するＡＣＫチャネル送信、
ｃ）ＡＣＫチャネル送信間隔は、使用可能な順方向リンクキャリアの数の関数である、
ｄ）ＲＬおよびＦＬ関連付けセットアップ上でのＡＣＫチャネル送信は、媒体アクセス制御（ＭＡＣ）レイヤ１４００（図１４）内でのシグナリングを介して実施することができる。
【００２６】
（マルチキャリア順方向トラヒックチャネルＭＡＣ）
キャリア割当ての２つモード、すなわち対称キャリア割当てと非対称キャリア割当てがあり得る。
【００２７】
図２は、たとえばＥＶ−ＤＯデータ用に使用される３つの順方向リンクキャリア２００Ａ〜２００Ｃ、および３つの対応する逆方向リンクキャリア２０２Ａ〜２０２Ｃを有する対称キャリア割当ての一例を示す。対称キャリア割当ては、（ａ）対称のデータ転送速度要件を有するアプリケーション、および／または（ｂ）対称のＦＬ／ＲＬ動作を強制するハードウェア上でサポートされる非対称データ転送速度要件を有するアプリケーションのために使用される可能性がある。
【００２８】
図３Ａおよび図３Ｂは、非対称キャリア割当ての例を示す。図３Ａは、３つの順方向リンクキャリア３００Ａ〜３００Ｃと、１つの対応する逆方向リンクキャリア３０２とを示す。図３Ｂは、３つの順方向リンクキャリア３００Ａ〜３００Ｃと、２つの対応する逆方向リンクキャリア３０４Ａおよび３０４Ｂとを示す。非対称キャリア割当ては、ファイル転送プロトコル（ＦＴＰ）ダウンロードなど、非対称のデータ転送速度要件を有するアプリケーションのために使用される可能性がある。非対称キャリア割当ては、（ａ）低減された逆方向リンクオーバーヘッド、および（ｂ）順方向リンクトラヒック（ＦＬＴ）キャリア割当てを逆方向電力制御（ＲＰＣ）キャリア割当てから分離することを可能にするＭＡＣチャネルを有することができる。
【００２９】
（非対称の順方向および逆方向リンク割当て−マルチキャリアＤＲＣ）
アクセス端末１０６は、単一の逆方向リンクキャリア上で、複数の順方向リンクキャリアに対するＤＲＣチャネル送信を時分割多重化することができる。
【００３０】
図１４は、図１のアクセス端末１０６内でＤＣＲ情報を多重化するための時分割多重化装置１４０２を示す。
【００３１】
アクセス端末１０６内のＭＡＣレイヤ１４００（図１４）は、ＤＲＣ送信時間に基づいて、ＤＲＣ対順方向リンクの関連付けを提供することができる。（ＤＲＣ送信が単一の逆方向リンクキャリアによって示される）順方向リンクキャリアの数は、（ｉ）割り当てられた順方向リンクキャリアすべてに対するＤＲＣを送信するために必要とされる時間間隔である最大の許容されるＤＲＣスパン、たとえば、ＤＲＣスパン＝最大（１６スロット、（キャリア当たりの）ＤＲＣ長（ＤＲＣＬｅｎｇｔｈ）×キャリア数）、および（ｉｉ）１ｘＥＶ−ＤＯ  Ｒｅｖ  Ａチャネルカードなど、ハードウェアによってサポートされるキャリア数に依存する可能性がある。一実施形態では、４つのＦＬキャリアが単一のＲＬキャリアに関連付けられ、ＲＬキャリアは、その４つのＦＬキャリアについてＡＣＫを送ることによって制限することができる。
【００３２】
他の実施形態では、アクセス端末１０６は、キャリアすべてにわたって単一のＤＲＣチャネルを使用することができる。換言すれば、アクセス端末１０６は、ＤＲＣによって指定された速度でそのアクセス端末１０６にデータを送信するように、指定されたＦＬキャリアすべてについて、単一のＤＲＣを基地局１０４に送る。
【００３３】
他の実施形態では、アクセス端末１０６は、（ａ）複数のキャリアにわたる単一のＤＲＣチャネル（ＦＬキャリアの総数のうちのいくつかのＦＬキャリアについて同じＤＲＣ）と（ｂ）時分割多重ＤＲＣチャネルの組合せを使用することができる。
【００３４】
図４Ａは、ＤＲＣ逆方向リンク送信（ＤＲＣ長＝８スロット）の一例を示し、これは、使用する単一の順方向リンクキャリアについて、データ転送速度を要求する。図４Ｂ〜４Ｆは、マルチキャリアの時分割多重ＤＲＣの例を示す。具体的には、図４Ｂは、２つの順方向リンクキャリアについて単一の逆方向リンクキャリア上で送信される２つのＤＲＣ（ＤＲＣ長＝それぞれ４スロット、ＤＲＣスパン＝８スロット）の一例を示す。図４Ｃは、４つの順方向リンクキャリアについて単一の逆方向リンクキャリア上で送信される４つのＤＲＣ（ＤＲＣ長＝それぞれ２スロット、ＤＲＣスパン＝８スロット）の一例を示す。
【００３５】
図４Ｄは、２つの順方向リンクキャリアについて単一の逆方向リンクキャリア上で送信される２つのインターレース（interlace）されたＤＲＣ（ＤＲＣ長＝それぞれ４スロット、ＤＲＣスパン＝８スロット）の一例を示す。インターレース式ＤＲＣチャネル送信は、所与のＤＲＣ長（ＤＲＣＬｅｎｇｔｈ）について、追加の時間ダイバーシティを実現することができる。図４Ｅは、４つの順方向リンクキャリアについて単一の逆方向リンクキャリア上で送信される４つのインターレースされたＤＲＣ（ＤＲＣ長＝それぞれ４スロット、ＤＲＣスパン＝１６スロット）の一例を示す。図４Ｆは、４つの順方向リンクキャリアについて単一の逆方向リンクキャリア上で送信される４つのインターレースされたＤＲＣ（ＤＲＣ長＝それぞれ２スロット、ＤＲＣスパン＝８スロット）の一例を示す。
【００３６】
（非対称の順方向および逆方向リンク割当て−マルチキャリアＡＣＫ）
マルチキャリア通信動作の一実施形態またはモードでは、順方向リンクチャネルの数が逆方向リンクチャネルの数より大きいとき、複数の順方向リンクチャネルに関連付けられたＤＳＣ、ＤＲＣ、ＡＣＫチャネルは、単一の逆方向リンクキャリア上に多重化されてもよい。この実施形態またはモードでは、そのような多重化を容易にするために、長符号マスク（ＬＣＭ）を使用することができる。この実施形態またはモードの場合、ＡＮは、ＤＳＣを多重化するかどうかＡＴに指図することができる。ＡＴからのフィードバックが同じチャネルカードに進み、サービス中のセクタが、複数の順方向リンクキャリアにわたって同じである場合、ＡＮは、ＡＴに、ＤＳＣを多重化しないように指図することができる。具体的には、一意の長符号マスクを使用し、２次順方向リンクキャリアについてＤＲＣおよびＡＣＫチャネルを送信することができる。図５を参照すると、別個の長符号マスクを使用して主逆方向リンク上で追加の順方向リンクキャリアについてＤＲＣおよびＡＣＫチャネルを送信するために使用することができるモジュールのブロック図が示されている。その結果、逆方向リンクのピーク対平均を、オフセットされたＡＣＫチャネルの使用によって低減される可能性がある。
【００３７】
図６を参照すると、たとえば複数の長符号マスクを使用する非対称の動作モードでのピーク対平均の低減が示されている。具体的には、ＤＳＣチャネルを、キャリアごとではなくＡＴごとに送信することができる。逆方向リンクのピーク対平均の低減は、２次順方向リンクキャリアに対するＡＣＫチャネル送信によって悪影響を受ける可能性があるため（たとえば、複数のＡＣＫチャネルが、電力対時間プロット上で重なり合う可能性がある）、ＤＳＣチャネルは、２次順方向リンクキャリアに対するＡＣＫチャネル送信のための半スロットを送信するために使用することができ、それにより、図６に示されているように、ＡＣＫチャネル送信をオフセットする。その結果、マルチキャリアＡＴに関する順方向リンク復調および復号時間が、割り当てられた順方向リンクキャリアの一部について削減される可能性がある。
【００３８】
逆方向リンクのピーク対平均の低減が、図７Ａ〜７Ｅでさらに示されている。より具体的には、アクセス端末１０６は、図７Ｅと共に下記で述べるように、単一の逆方向リンクキャリア上で、複数の順方向リンクキャリアに対するＡＣＫチャネル送信を時分割多重化することができる。図１４は、図１のアクセス端末１０６内でＡＣＫ情報を多重化するための時分割多重化装置１４０４を示す。
【００３９】
キャリア当たりのＡＣＫチャネル送信が、たとえば（ＥＶ−ＤＯ  Ｒｅｖ．Ａで使用される１／２スロットではなく）１スロットから１／４スロット（各ＡＣＫが１／４スロットについて送信される）に削減されてもよく、これは、ＡＣＫチャネルの送信を受けるいくつかのＦＬキャリアに依存する可能性がある。アクセス端末１０６部のＭＡＣレイヤ１４００（図１４）は、ＡＣＫ送信時間に基づいてＡＣＫ対順方向リンクの関連付けを提供することができる。
【００４０】
図７Ａおよび図７Ｂは、２つの順方向リンクキャリア（キャリア１および２）が２つの異なる速度（たとえば、１５３．６ｋｂｐｓおよび３０７．２ｋｂｐｓ）でＦＬデータを送信するように、アクセス端末１０６から基地局１０４に送られる２つのＤＲＣチャネル送信要求の一例を示す。図７Ａおよび図７Ｂは、基地局１０４によって復号されるＤＲＣを示すことができるが、図７Ａおよび図７Ｂは、図４Ｂ〜４ＦのようにＤＲＣが単一の逆方向リンクキャリア上で時分割多重化される方法を示してはいない。
【００４１】
ＤＲＣに応答して、基地局１０４は、図７Ｃおよび図７Ｄにおける２つの異なる速度（たとえば、１５３．６ｋｂｐｓおよび３０７．２ｋｂｐｓ）で、２つの順方向リンクキャリア上で順方向トラヒックチャネル（ＦＴＣ）サブパケットを送信する。
【００４２】
基地局１０４は、アクセス端末１０６に送信するために、元のデータパケットのデータビットを、複数の対応する「サブパケット」の形に反復および処理することができる。アクセス端末１０６が高ＳＮ比信号を受けた場合、第１のサブパケットは、アクセス端末１０６が元のデータパケットを復号および導出するために十分な情報を含むことができる。アクセス端末１０６がフェージングまたは低ＳＮ比信号を受けた場合、アクセス端末１０６は、元のデータパケットを第１のサブパケットだけから正しく復号および導出する確率が比較的低くなる可能性がある。
【００４３】
アクセス端末１０６が第１のサブパケットを復号することに成功しなかった場合、アクセス端末１０６は、ＮＡＫを基地局１０４に送る。次いで、基地局１０４は、第２のサブパケットを送る。アクセス端末１０６は、第１のサブパケットと第２のサブパケットからの情報を組み合わせ、元のデータパケットを復号しようと試みることができる。アクセス端末１０６が、より多くのサブパケットを受信し、受信された各サブパケットから導出された情報を組み合わせるにつれて、元のデータパケットを復号および導出する確率は高まる。
【００４４】
図７Ｃでは、基地局１０４が、元のデータパケットの第１のサブパケットを、キャリア１のスロット１内でアクセス端末１０６に送る。同時に、図７Ｄでは、基地局１０４は、別の元のデータパケットの第１のサブパケットを、キャリア２のスロット１内でアクセス端末１０６に送る。
【００４５】
アクセス端末１０６は、それぞれキャリア１および２上の受信された第１のサブパケットから２つの元のデータパケットを復号しようと試みる。アクセス端末１０６は、キャリア１上の受信された第１のサブパケットを正しく復号することができず、図７ＥにおいてＡＣＫチャネル上でＮＡＫを基地局１０４に送り、キャリア１上の受信された第２のサブパケットを正しく復号することができず、ＡＣＫチャネル上でＮＡＫを基地局１０４に送り、キャリア１上の受信された第３のサブパケットを正しく復号することができず、ＡＣＫチャネル上でＮＡＫを基地局１０４に送り、キャリア１上の受信された第４のサブパケットを正しく復号し、ＡＣＫチャネル上でＡＣＫを基地局１０４に送る。
【００４６】
また、図７Ｅでは、キャリア２上の第１および第２の受信されたサブパケットを正しく復号することができず、ＮＡＫを基地局１０４に送る。アクセス端末１０６は、キャリア２のスロット３上の第３のサブパケットを受信および処理した後で、（たとえば、巡回冗長検査（ＣＲＣ）または他の誤り検出技法を使用して）元の第２のパケットを正しく復号する。アクセス端末１０６は、第２の元のパケットのための第４のサブパケットをキャリア２上で送らないように、肯定応答（ＡＣＫ）信号を基地局１０４に送る。
【００４７】
次いで、基地局１０４は、キャリア２のスロット１（ｎ＋１２）内で、次のパケットの第１のサブパケットを送ることができる。図７Ｅでは、アクセス端末１０６は、２つのＦＬキャリアについて、単一のＡＣＫ／ＮＡＫ  ＲＬチャネル上でＡＣＫおよびＮＡＫを送る（ＦＬキャリア当たり１／４スロットを用いる１／２スロットＡＣＫ／ＮＡＫチャネル送信）。
【００４８】
マルチキャリアＡＣＫの他の実施形態では、アクセス端末１０６は、単一のＲＬ  ＡＣＫチャネルを使用することができ、ＲＬ  ＡＣＫは、パケット受信のタイミングに基づいてＦＬに関連付けられる（送信時間ベースのＡＣＫチャネル関連付けとも呼ばれる）。これは、ＶｏＩＰ（Voice over Internet Protocol）タイプのトラヒックに使用することができる。送信時間ベースのＡＣＫチャネル関連付けは、単一のＦＬキャリア上での送信を一時に所与のアクセス端末１０６に制限するように、ＦＬスケジューラに対して制約を加えることができる。
【００４９】
（改良型マルチキャリアＡＣＫ）
マルチキャリア動作のための非対称モードの他の実施形態では、図８および図９は、マルチキャリアＡＣＫおよびカバー送信のための工程および構造を示す。このモードの場合、たとえば、Ｉ分岐およびＱ分岐上で符号分割多重（ＣＤＭ）送信を使用して、単一の逆方向リンクキャリア上でＡＣＫを送信するために、長符号マスク当たり４つの順方向リンクキャリアについて４つのＡＣＫチャネルがあり得る。異なるウォルッシュカバーが、たとえばＩ分岐とＱ分岐を直交させるために使用されてもよい。具体的には、図８は、マルチキャリアＡＣＫ送信を準備するための工程および構造を示す。第１および第２のＡＣＫ信号マッピングブロック８００および８０２が、それぞれＡＣＫチャネルキャリア１および２をマッピングおよび符号化する（スロット当たり１ビット）。次いで、シンボル反復ブロック８０４および８０６は、半スロット当たり複数のシンボルを反復する。反復の後で、シンボルは、ウォルッシュカバーブロック８０８および８１０にて、それぞれウォルッシュ符号／カバーＷ１４およびＷ０４によってチャネル化され、半スロット当たり３２個のバイナリシンボルを生成する。次いで、ＡＣＫチャネル利得ブロック８１２および８１４にて、半スロットのそれぞれに利得が適用される。半スロットの利得は、８１６で組み合わされ、次いで、乗算器８１８は、Ｉ相についてＡＣＫチャネルを示すように、ウォルッシュカバーリング／符号Ｗ１２３２を適用する。
【００５０】
図８と同様に、図９は、ＡＣＫチャネルキャリア３および４についてマルチキャリアＡＣＫおよびカバー送信のための工程および構造を示す。第３および第４のＡＣＫ信号マッピングブロック９００および９０２は、それぞれＡＣＫチャネルキャリア３および４をマッピングおよび符号化する（スロット当たり１ビット）。次いで、シンボル反復ブロック９０４および９０６は、半スロット当たり複数のシンボルを反復する。反復の後で、シンボルは、ウォルッシュカバーブロック９０８および９１０にて、それぞれウォルッシュ符号／カバーＷ３４およびＷ２４によってチャネル化され、半スロット当たり３２個のバイナリシンボルを生成する。次いで、ＡＣＫチャネル利得ブロック９１２および９１４にて、半スロットのそれぞれに利得が適用される。半スロットの利得は、９１６で組み合わされ、次いで、乗算器９１８は、Ｑ相についてＡＣＫチャネルを示すように、ウォルッシュカバーリング／符号Ｗ１２３２を適用する。
【００５１】
マルチキャリア動作のための非対称モードの他の実施形態では、図１０は、送信のための改良型マルチキャリアＤＲＣチャネルを準備するための工程および構造を示す。このモードでは、たとえば、Ｉ分岐およびＱ分岐上で符号分割多重送信を使用して、単一の逆方向リンクキャリア上でＤＲＣ速度を送信するために、長符号マスク当たり４つのＤＲＣチャネル（順方向リンクキャリア当たり１つ）があり得る。同じ符号語（Codeword）ウォルッシュカバーを使用するＤＲＣ送信については、１つの順方向キャリアに対するＤＲＣカバー値は、ＤＲＣカバーが異なるものとなるように、他の順方向キャリアの値に対してオフセットされてもよい。たとえば、キャリア＃１がＤＲＣカバー＝０×１を使用する場合、キャリア＃３は、０×１に対してオフセットされたＤＲＣカバー値を使用することができる。
【００５２】
より具体的には、図１０を参照すると、第１および第２の倍直交符号器（Bi-Orthogonal Encoder）１０００および１００２は、それぞれ各キャリア１および２についてＤＲＣチャネルを符号化し（たとえば、アクティブのスロット当たり１つの４ビットシンボル）、アクティブのスロット当たり８個のバイナリシンボルを生成する。次いで、カバーブロック１００４および１００６内のそれぞれ各符号語ウォルッシュカバーＷ１２およびＷ０２は、アクティブのスロット当たり１６個のバイナリシンボルを生成する。次いで、第１および第２の信号ポイントマッピングブロック１０１２および１０１４が、それぞれ０および１をアクティブのスロット当たり＋１および−１にマッピングする。ＤＲＣチャネル利得ブロック１０１２および１０１４にてスロットのそれぞれに利得が適用された後、次いで、乗算器１０２０および１０２２が、それぞれ利得１０１２および１０１４の出力を、それぞれキャリア１および２についてＤＲＣカバーシンボルと組み合わせる（たとえば、アクティブのスロット当たり１つの３ビットシンボル）。
【００５３】
マルチキャリア動作のための非対称モードの他の実施形態では、キャリア１および２に対するＤＲＣカバーシンボルが、それぞれウォルッシュカバーブロック（Ｗｉ８（ｉ＝０、１、．．．７））１０１６および１０１８によってチャネル化される。次いで、乗算器１０２０および１０２２の出力が１０２４で加算され、次いで１０２６で乗算され、Ｑ相についてＤＲＣチャネルを示すように、ウォルッシュカバーリング符号Ｗ８１６を適用する。
【００５４】
図１０と同様に、図１１は、キャリア３および４について、送信のための改良型マルチキャリアＤＲＣチャネルを準備するための工程および構造を示す。第３および第４の双直交符号器１１００および１１０２は、それぞれ各キャリア３および４についてＤＲＣチャネルを符号化し（たとえば、アクティブのスロット当たり１つの４ビットシンボル）、アクティブのスロット当たり８個のバイナリシンボルを生成する。次いで、符号語カバーブロック１１０４および１１０６内のそれぞれ各符号語ウォルッシュカバーＷ１２およびＷ０２は、アクティブのスロット当たり１６個のバイナリシンボルを生成する。次いで、第１および第２の信号ポイントマッピングブロック１１１２および１１１４が、それぞれ０および１をアクティブのスロット当たり＋１および−１にマッピングする。ＤＲＣチャネル利得ブロック１１１２および１１１４にてスロットのそれぞれに利得が適用された後、次いで、乗算器１０２０および１０２２が、それぞれ利得１１１２および１１１４の出力を、それぞれキャリア３および４についてＤＲＣカバーシンボルと組み合わせる（たとえば、アクティブのスロット当たり１つの３ビットシンボル）。
【００５５】
マルチキャリア動作のための非対称モードの他の実施形態では、キャリア３および４に対するＤＲＣカバーシンボルが、それぞれカバーブロック１１１６および１１１８にて、ウォルッシュカバーブロック（Ｗｉ８（ｉ＝０、１、．．．７））によってチャネル化される。次いで、乗算器１１２０および１１２２の出力が１１２４で加算され、次いで１１２６で乗算され、Ｉ相についてＤＲＣチャネルを示すように、ウォルッシュカバーリング符号Ｗ８１６を適用する。
【００５６】
マルチキャリア動作のための非対称モードの、上述の実施形態のいずれかにおいて、Ｉ分岐およびＱ分岐上で符号分割多重送信を使用して、単一の逆方向リンクキャリア上で最大４つの順方向リンクキャリアについてＡＣＫおよびＤＲＣチャネルを送信することができることを理解されたい。等しい数の順方向リンクおよび逆方向リンクチャネルがある場合、上述の方式はまた、たとえば（ＡＴに送信電力ヘッドルームが不足しているとき）ＡＴが送信しないことに決めた、いくつかの逆方向リンク周波数上で、ＡＴが自律的にパイロットおよびトラヒックチャネルをオフにすることを可能にすることができる。さらに、同じ符号語ウォルッシュカバーを使用するＤＲＣ送信については、１つの順方向キャリアに対するＤＲＣカバー値は、他の順方向リンクキャリアの値に対してオフセットされてもよい。換言すれば、本発明のこの態様の場合、ＡＣＫおよびＤＲＣチャネルは、ウォルッシュ符号Ｗ（１６，８）のＩ／Ｑ相（同相（Ｉ）、直交（Ｑ））、およびＷ（１６，８）のＩ／Ｑ相を使用して、第１の４キャリアについて送信される可能性がある。追加のＦＬキャリアについて追加のＤＲＣチャネル送信が必要とされる場合、アクセス端末１０６は、Ｗ（１６，８）の位相のそれぞれで１／２スロットＤＲＣを使用することができる。したがって、アクセス端末１０６は、単一のＲＬキャリアを用いて最大４つのＦＬキャリアについてＤＲＣをサポートすることができる。
【００５７】
図１２を参照すると、マルチキャリアシステムにおける順方向リンク周波数と逆方向リンク周波数との対応が示されている。トラヒックチャネル割当て（ＴＣＡ）により、そのような関係が指定され得る。例として、順方向リンク周波数すべてについてＤＳＣ、ＤＲＣ、ＡＣＫチャネルを搬送するように、逆方向リンク周波数「ｘ」が指定され得る。
【００５８】
本発明の一態様では、長符号マスクの４つの最上位ビット（ＭＳＢ）を使用して、各逆方向リンク周波数について、複数（たとえば、最大４つ）の追加の長符号マスクが作成されてもよい。具体的には、フィードバック（ＡＣＫ／ＤＲＣ）が送られるチャネルは、ＴＣＡで指定され得る４ビット識別子、たとえば＜ＬｏｎｇＣｏｄｅＭａｓｋＩｎｄｅｘ（２ビット），ＦｅｅｄｂａｃｋＷａｌｓｈＣｏｖｅｒ（１ビット），ＩＱＩｄｅｎｔｉｆｉｅｒ（１ビット）＞によって識別することができる。
【００５９】
他の態様では、ＡＴは、以下のように、逆方向トラヒックチャネルに対する長符号マスク（たとえば、ＭＩＲＴＣＭＡＣおよびＭＱＲＴＣＭＡＣ）を設定することができる。たとえば、各ＬｏｎｇｃｏｄｅＭａｓｋＩｎｄｅｘに関連付けられた４２ビットマスクＭＩＲＴＣＭＡＣは、下記の表Ｉに示されているように指定することができる。
【表１】
2009508368.tif 000003
【００６０】
ＡＮは、ＡＴが送信することができるチャネルのそれぞれで、１つまたは複数の長符号マスクをＡＴに割り当てることができる。チャネルのそれぞれについての長符号マスクは、たとえば、ルート更新プロトコル（Ｒｏｕｔｅ  Ｕｐｄａｔｅ  Ｐｒｏｔｏｃｏｌ）の公開データであるＬｏｎｇｃｏｄｅＭａｓｋＩｎｄｅｘの値によって識別することができる。
【００６１】
表Ｉでは、Ｐｅｒｍｕｔｅｄ（ＡＴＩＬＣＭ）は、以下のように定義することができる。
【数１】
2009508368.tif 000004
【００６２】
４２ビットマスクＭＱＲＴＣＭＡＣは、以下のように、マスクＭＩＲＴＣＭＡＣから導出することができる。
【数２】
2009508368.tif 000005
【００６３】
上式で、
【数３】
2009508368.tif 000006
【００６４】
は、排他的ＯＲ演算を示し、ＭＱＲＴＣＭＡＣ［ｉ］およびＭＩＲＴＣＭＡＣ［ｉ］は、それぞれＭＱＲＴＣＭＡＣおよびＭＩＲＴＣＭＡＣのｉ番目の最下位ビットを示す。
【００６５】
（順方向リンクソフト組合せモード）
アクセス端末１０６は、順方向リンクソフト組合せモード（複数のＦＬキャリアにわたって受信されたデータをソフト組合せする）と共にマルチキャリアＤＲＣを使用することができる。このモードでは、基地局１０４は、パケットを個々の順方向リンク上で同時に送信しなくてもよい。すなわち、この設計は、非同期送信と共にキャリアに跨ってソフトハンドオフをサポートすることになる。アクセス端末１０６は、同じ基地局１０４による、複数のＦＬキャリア上の所与のスロット内での、アクセス端末１０６への送信に基づいて、ＤＲＣインデックスを示すことができる。
【００６６】
一実施形態では、システムまたはネットワーク１００は、一般属性更新プロトコル（ＧＡＵＰ；general attribute update protocol）を使用し、所与の端末１０６へのパケット送信すべてが同じ長さの時間のマルチキャリア送信となることを示すことができる。アクセス端末１０６は、別段の指図がない限り、組み合わされたＳＩＮＲ予測に基づいてＤＲＣを送信することができる。ＭＡＣレイヤ１４００（図１４）は、信号マッピングを提供することができる。
【００６７】
ネットワークは、その同じ時間間隔で１つのキャリアまたはキャリアの組合せを使用して、アクセス端末１０６にサービスを提供するように、いくらかの柔軟性を有することができる。これは、キャリア当たり個々のＤＲＣ、ならびに組み合わされたＳＩＮＲ予測に基づくＤＲＣを使用する可能性がある。ネットワークは、ＤＲＣレポーティングのこれら２つのモードのうちの１つで動作するように、アクセス端末１０６を構成することができる。順方向リンクソフト組合せモードは、たとえば、アクセス端末１０６が、ＶｏＩＰフローに対して、またはあらゆるタイプのフローに対して不十分なチャネル条件を受けるとき使用することができる。
【００６８】
図１３Ａは、図１の基地局１０４部で実装することができる順方向リンクの送信チェイン、構造、または工程の一例を示す。図１３Ａに示されている機能および構成要素は、ソフトウェア、ハードウェア、またはソフトウェアとハードウェアの組合せによって実装することができる。他の機能を、図１３Ａに示されている機能に加えて、またはその代わりに図１３Ａに追加することができる。
【００６９】
ブロック１３０２では、符号器が、１つまたは複数の符号化方式を使用してデータビットを符号化し、符号化されたデータチップを提供する。各符号化方式は、巡回冗長検査（ＣＲＣ）、畳込み符号化、ターボ符号化、ブロック符号化、他のタイプの符号化など、１つまたは複数のタイプの符号化を含むことも、符号化を全く含まないこともできる。他の符号化方式は、自動再送要求（ＡＲＱ）、ハイブリッドＡＲＱ、および増加的冗長再送技法（incremental redundancy repeat techniques）を含むことができる。様々なタイプのデータを、様々な符号化方式で符号化することができる。
【００７０】
ブロック１３０４では、フェージングに対処するために、インターリーバ（interleaver）が、符号化されたデータビットをインターリーブする。ブロック１３０６では、変調器が、符号化されインターリーブされたデータを変調し、変調データを生成する。変調技法の例には、バイナリ位相偏移変調（ＢＰＳＫ）および直交位相偏移変調（ＱＰＳＫ）が含まれる。
【００７１】
ブロック１３０８では、中継器が、変調データのシーケンスを反復することができ、またはシンボルパンクチャユニット（symbol puncture unite）が、シンボルのビットをパンクチャ（puncture ）する。ブロック１３１０では、拡散器（spreader）（たとえば、乗算器）が、ウォルッシュカバー（すなわち、ウォルッシュ符号）を用いて変調データを拡散し、データチップを形成することができる。
【００７２】
ブロック１３１２では、多重化装置が、パイロットチップおよびＭＡＣチップを用いてデータチップを時分割多重化し、チップのストリームを形成することができる。ブロック１３１４では、疑似ランダムノイズ（ＰＮ）拡散器が、１つまたは複数のＰＮ符号（たとえば、短符号、長符号）を用いてチップのストリームを拡散することができる。次いで、順方向リンク変調信号（送信チップ）が、アンテナを介し、無線通信リンクを介して、１つまたは複数のアクセス端末１０６に送信される。
【００７３】
図１３Ｂは、図１のアクセス端末１０６部で実装することができる順方向リンクの受信チェイン、工程、または構造の一例を示す。図１３Ｂに示されている機能および構成要素は、ソフトウェア、ハードウェア、またはソフトウェアとハードウェアの組合せによって実装することができる。他の機能を、図１３Ｂに示されている機能に加えて、またはその代わりに図１３Ｂに追加することができる。
【００７４】
１つまたは複数のアンテナ１３２０Ａ〜１３２０Ｂが、１つまたは複数の基地局１０４から順方向リンク変調信号を受信する。複数のアンテナ１３２０Ａ〜１３２０Ｂは、フェージングなど、有害な経路作用に対して空間ダイバーシティを実現することができる。各受信信号は、それぞれのアンテナ受信器フィルタリングブロック１３２２に送られ、そのブロック１３２２は、受信信号を調整（たとえば、濾波、増幅、ダウンコンバート）およびディジタル化し、その受信信号についてデータサンプルを生成する。
【００７５】
カスケード適応線形等化器１３２４が、データサンプルを受け取り、ブロック１３２５への等化されたチップを生成する。ブロック１３２５は、ブロック１３１４で使用された１つまたは複数のＰＮ符号を用いて、サンプルを逆拡散することができる。ブロック１３２６は、パイロット時間スキューを除去し、ブランクを挿入することができる。ブロック１３２８では、逆拡散器が、基地局部のブロック１３１０内でデータを拡散するために使用された同じ拡散シーケンスを用いて、ウォルッシュ解除する、すなわち、受け取られたデータサンプルからウォルッシュ符号を逆拡散または除去することができる。
【００７６】
ブロック１３３０では、復調器が、受け取られた信号すべてについてデータサンプルを復調し、回復されたシンボルを提供する。ｃｄｍａ２０００については、復調では、（１）受け取られたデータおよびパイロットをそれらのそれぞれの符号チャネル上に分離する、またはチャネル化するために、逆拡散されたサンプルをチャネル化すること、および（２）チャネル化されたデータを、回復されたパイロットを用いてコヒーレントに復調し、復調データを提供することによって、データ送信を回復しようと試みられる。復調ブロック１３３０は、複数の信号インスタンスを処理するためにレーキ受信器を実装することができる。
【００７７】
ブロック１３３４は、パンクチャドシンボル位置を受け取り、シンボルを連続するビットに変換することができる。ブロック１３３２は、対数尤度比（ＬＬＲ）をパンクチャドビットエポック（epoch）でゼロにすることができる。ブロック１３３６は、チャネルディインターリーブを適用することができる。
【００７８】
ブロック１３３８では、チャネル復号器が、復調データを復号し、基地局１０４によって送信された復号データビットを回復する。
【００７９】
本明細書で開示されている「情報チャネル」という用語は、ＤＲＣチャネル、ＡＣＫチャネル、またはチャネル状態情報を含む他のチャネルを指すことができる。
【００８０】
本明細書で開示されている実施形態は、マルチキャリア通信システムのための非対称の動作モードの、いくつかの実施形態を提供することを理解されたい。他の実施形態および実装がある。様々な開示されている実施形態は、ＡＮ、ＡＴ、およびマルチキャリア通信システム内の他の要素内で実装することができる。
【００８１】
当業者なら、情報および信号は、様々な異なる技術および技法のいずれかを使用して表すことができることを理解するであろう。たとえば、上記の説明全体を通して参照される可能性があるデータ、命令、コマンド、情報、信号、ビット、シンボル、およびチップは、電圧、電流、電磁波、磁場もしくは粒子、光場（optical field）もしくは粒子、またはそれらの任意の組合せによって表すことができる。
【００８２】
さらに、当業者なら、本明細書で開示されている実施形態に関連して述べられている様々な例示的な論理ブロック、モジュール、回路、およびアルゴリズムステップは、電子ハードウェア、コンピュータソフトウェア、または両者の組合せとして実装することができることを理解するであろう。ハードウェアとソフトウェアのこの互換性をわかりやすく例示するために、様々な例示的な構成要素、ブロック、モジュール、回路、およびステップが、それらの機能で表して、上記で一般的に述べられている。そのような機能がハードウェアとして、それともソフトウェアとして実装されるかは、システム全体に課される特定の応用および設計の制約によって決まる。当業者なら、述べられている機能を、各特定の応用例について様々なやり方で実装することができるが、そのような実装の判断は、本発明の範囲からの逸脱を引き起こすものとして解釈すべきでない。
【００８３】
本明細書で開示されている実施形態に関連して述べられている様々な例示的な論理ブロック、モジュール、および回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）もしくは他のプログラム可能な論理デバイス、ディスクリートゲートもしくはトランジスタ論理、ディスクリートハードウェア構成要素、または本明細書で述べられている機能を実行するように設計されたそれらの任意の組合せを用いて実装または実行することができる。汎用プロセッサはマイクロプロセッサとすることができるが、代替として、プロセッサは、任意の従来のプロセッサ、コントローラ、マイクロコントローラ、または状態機械とすることができる。また、プロセッサは、コンピューティングデバイスの組合せ、たとえば、ＤＳＰとマイクロプロセッサの組合せ、複数のマイクロプロセッサ、ＤＳＰコアに関連する１つまたは複数のマイクロプロセッサ、または任意の他のそのような構成として実装することができる。
【００８４】
本明細書で開示されている実施形態に関連して述べられている方法またはアルゴリズムのステップは、ハードウェア内、プロセッサによって実行されるソフトウェアモジュール内、またはその２つの組合せの中で直接実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能なディスク、ＣＤ−ＲＯＭ、または任意の他の形態の記憶媒体内に常駐することができる。記憶媒体は、プロセッサがその記憶媒体から情報を読み出し、その記憶媒体に情報を書き込むことができるように、プロセッサに結合される。代替として、記憶媒体は、プロセッサと一体とすることができる。プロセッサおよび記憶媒体は、ＡＳＩＣ内に常駐することができる。そのＡＳＩＣは、ユーザ端末内に常駐することができる。代替として、プロセッサおよび記憶媒体は、ユーザ端末内でディスクリート構成要素として常駐することができる。
【００８５】
参照するために、また、あるセクションを突き止める際に助けとなるように、ヘディングが本明細書に含まれる。これらのヘディングは、本明細書においてその下に述べられている概念の範囲を限定しないものとし、これらの概念は、本明細書全体にわたって、他のセクション内で適用可能とすることができる。
【００８６】
開示されている実施形態の先の説明は、当業者が本発明を実施し使用することができるように提供されている。これらの実施形態に対する様々な修正形態が、当業者には容易に明らかとなり、本明細書で定義されている一般的な原理は、本発明の精神または範囲から逸脱することなしに、他の実施形態に適用することができる。したがって、本発明は、本明細書で示されている実施形態に限定されないものとし、本明細書で開示されている原理および新規な特徴に適合する最も広い範囲が与えられるものとする。
【図面の簡単な説明】
【００８７】
【図１】基地局およびアクセス端末を有する無線通信システムの図である。
【図２】対称の順方向リンクおよび逆方向リンクキャリア割当ての一例の図である。
【図３Ａ】非対称キャリア割当ての例の図である。
【図３Ｂ】非対称キャリア割当ての例の図である。
【図４−１】４Ａは単一の順方向リンクキャリアについてのデータ転送速度制御（ＤＲＣ）逆方向リンク送信の一例の図である。４Ｂはマルチキャリアの時分割多重ＤＲＣの例の図である。４Ｃはマルチキャリアの時分割多重ＤＲＣの例の図である。
【図４−２】４Ｄ、４Ｅ、４Ｆはマルチキャリアの時分割多重ＤＲＣの例の図である。
【図５】別個の長符号マスクを使用して主ＲＬ上で追加のＦＬキャリアについてＤＲＣおよびＡＣＫチャネルを送信するために使用することができるモジュールのブロック図である。
【図６】非対称の動作モードにおいて、長符号マスクを使用する、ピーク対平均の低減の図である。
【図７】７Ａおよび７Ｂは２つの順方向リンクキャリアが２つの異なる速度でデータを送信するように、２つのＤＲＣチャネル送信要求を基地局に送るアクセス端末の例の図である。７Ｃおよび７Ｄは２つの異なる速度で、２つの順方向リンクキャリア上で順方向トラヒックチャネルサブパケットを送信する基地局の図である。７Ｅは２つの順方向リンクキャリアについて、単一の逆方向リンクチャネル上で肯定応答（ＡＣＫ）および否定応答（ＮＡＫ）を送るアクセス端末の図である。
【図８】マルチキャリアＡＣＫ送信の非対称モードのための工程および構造の図である。
【図９】マルチキャリアＡＣＫ送信の非対称モードのための工程および構造の図である。
【図１０】マルチキャリアＤＲＣ送信の非対称モードのための工程および構造の図である。
【図１１】マルチキャリアＤＲＣ送信の非対称モードのための工程および構造の図である。
【図１２】マルチキャリアシステムにおける順方向リンク周波数と逆方向リンク周波数との対応の図である。
【図１３Ａ】図１の基地局部で実装することができる順方向リンクの送信チェイン、構造、または工程の一例の図である。
【図１３Ｂ】図１のアクセス端末部で実装することができる順方向リンクの受信チェイン、工程、または構造の一例の図である。
【図１４】図１のアクセス端末のいくつかの構成要素の図である。
【図１】
2009508368.tif 000007
【図２】
2009508368.tif 000008
【図３Ａ】
2009508368.tif 000009
【図３Ｂ】
2009508368.tif 000010
【図４−１】
2009508368.tif 000011
【図４−２】
2009508368.tif 000012
【図５】
2009508368.tif 000013
【図６】
2009508368.tif 000014
【図７】
2009508368.tif 000015
【図８】
2009508368.tif 000016
【図９】
2009508368.tif 000017
【図１０】
2009508368.tif 000018
【図１１】
2009508368.tif 000019
【図１２】
2009508368.tif 000020
【図１３Ａ】
2009508368.tif 000021
【図１３Ｂ】
2009508368.tif 000022
【図１４】
2009508368.tif 000023
【国際調査報告】
2009508368.tif 000024
2009508368.tif 000025
2009508368.tif 000026